(57)【特許請求の範囲】
【請求項１】
ネットワーク側が、ページング指示シグナルの利用可能なリソースと、セルによってサポートされるマルチポイント制御チャネル（Ｍａｘｉｍｕｍ  Ｍｕｌｔｉｐｏｉｎｔ  Ｃｏｎｔｒｏｌ  Ｃｈａｎｎｅｌ：ＭＣＣＨ）の最大数とに応じて、ＭＣＣＨ修正指示を搬送するビットリソースを各ＭＣＣＨに割り当て、
前記ネットワーク側が、ページング指示シグナルでの、各ＭＣＣＨ修正指示のマッピング情報を構成し、
前記ネットワーク側が、構成されたＭＣＣＨに対応するＭＣＣＨ修正指示を含む前記ページング指示シグナルを送信し、
前記ページング指示シグナルの利用可能なリソースは、前記ページング指示シグナルを搬送する物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）であり、
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨの識別子又はＭＢＭＳ単一周波数ネットワークエリア識別子を含むシステム情報を送信する
マルチメディアブロードキャスト及びマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：ＭＢＭＳ）ページング指示シグナル送信方法。
【請求項２】
ネットワーク側がページング指示シグナルを送信するステップにおいて、前記ネットワーク側は、構成されたＭＣＣＨに対応するＭＣＣＨ修正指示を、前記ＰＤＣＣＨに連続的に又は非連続的に追加し、
前記ページング指示シグナルでの、各ＭＣＣＨ修正指示のマッピング情報は、ＰＤＣＣＨでの、構成されたＭＣＣＨに対応する各ＭＣＣＨ修正指示の配列順序及び開始位置である
請求項１に記載の方法。
【請求項３】
前記ＰＤＣＣＨでの、ＭＣＣＨ修正指示の配列順序は、システムメッセージにおいて複数のＭＣＣＨを構成する場合、各ＭＣＣＨが現れる順序であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加する
請求項１に記載の方法。
【請求項４】
前記ＰＤＣＣＨでの、ＭＣＣＨ修正指示の配列順序は、すべてのＭＣＣＨに対応するＭＣＣＨ識別子の値又はすべてのＭＣＣＨに対応するＭＢＭＳ単一周波数ネットワークエリア識別子の値により確定されたビット位置であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加する
請求項３に記載の方法。
【請求項５】
さらに、前記ネットワーク側により各ＭＣＣＨ修正指示に割り当てられたビットリソースと、ページング指示シグナルでの、各ＭＣＣＨ修正指示のマッピング情報とを、セルの各端末に予め設定し、又は
前記ビットリソース及び前記マッピング情報を、システム情報を介して各端末へ送信する
請求項１に記載の方法。
【請求項６】
ネットワーク側が、ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、
前記ネットワーク側が、ページング指示シグナルでの、各ＭＣＣＨ修正指示のマッピング情報を構成し、
前記ネットワーク側が、構成されたＭＣＣＨに対応するＭＣＣＨ修正指示を含む前記ページング指示シグナルを送信し、
端末が、受信した各ＭＣＣＨに対応するＭＣＣＨ修正指示に応じて、構成された各ＭＣＣＨの内容が変化したかどうか判断し、
前記ページング指示シグナルの利用可能なリソースは、前記ページング指示シグナルを搬送する物理ダウンリンク制御チャネル（ＰＤＣＣＨ）であり、
前記ＰＤＣＣＨでの、ＭＣＣＨ修正指示の配列順序は、すべてのＭＣＣＨに対応するＭＣＣＨ識別子の値又はすべてのＭＣＣＨに対応するＭＢＭＳ単一周波数ネットワークエリア識別子の値により確定されたビット位置であり、又は
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨのＭＢＭＳ識別子又は単一周波数ネットワークエリア識別子を含むシステム情報を送信する
マルチメディアブロードキャスト及びマルチキャストサービス（ＭＢＭＳ）ページング指示シグナル送信方法。
【請求項７】
ネットワーク側がページング指示シグナルを送信するステップにおいて、前記ネットワーク側は、構成されたＭＣＣＨに対応するＭＣＣＨ修正指示を、前記ＰＤＣＣＨに連続的に又は非連続的に追加し、
前記ページング指示シグナルでの、各ＭＣＣＨ修正指示のマッピング情報は、ＰＤＣＣＨでの、構成されたＭＣＣＨに対応する各ＭＣＣＨ修正指示の配列順序及び開始位置である
請求項６に記載の方法。
【請求項８】
前記ＰＤＣＣＨでの、ＭＣＣＨ修正指示の配列順序は、システムメッセージにおいて複数のＭＣＣＨを構成する場合、各ＭＣＣＨが現れる順序であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加する
請求項６に記載の方法。
【請求項９】
さらに、前記ネットワーク側により各ＭＣＣＨ修正指示に割り当てられたビットリソースと、ページング指示シグナルでの、各ＭＣＣＨ修正指示のマッピング情報とを、セルの各端末に予め設定し、又は
前記ビットリソース及び前記マッピング情報を、システム情報を介して各端末へ送信する
請求項６に記載の方法。
【請求項１０】
ネットワーク側として利用される、マルチメディアブロードキャスト及びマルチキャストサービス（ＭＢＭＳ）ページング指示シグナル送信装置であって、
ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、ページング指示シグナルでの、各ＭＣＣＨ修正指示のマッピング情報を構成する構成モジュールと、
前記構成モジュールと接続され、構成されたＭＣＣＨに対応するＭＣＣＨ修正指示を含む前記ページング指示シグナルを送信する送信モジュールと
を具備し、
前記ページング指示シグナルの利用可能なリソースは、前記ページング指示シグナルを搬送する物理ダウンリンク制御チャネル（ＰＤＣＣＨ）であり、
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨの識別子又はＭＢＭＳ単一周波数ネットワークエリア識別子を含むシステム情報を送信する
マルチメディアブロードキャスト及びマルチキャストサービス（ＭＢＭＳ）ページング指示シグナル送信装置。
【請求項１１】
ネットワーク側と、端末とを具備する、マルチメディアブロードキャスト及びマルチキャストサービス（ＭＢＭＳ）ページング指示シグナル送信システムであって、
前記ネットワーク側は、
ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、
ページング指示シグナルでの、各ＭＣＣＨ修正指示のマッピング情報を構成し、
構成されたＭＣＣＨに対応するＭＣＣＨ修正指示を含む前記ページング指示シグナルを送信し、
前記端末は、
受信した各ＭＣＣＨに対応するＭＣＣＨ修正指示に応じて、構成された各ＭＣＣＨの内容が変化したかどうか判断し、
前記ページング指示シグナルの利用可能なリソースは、前記ページング指示シグナルを搬送する物理ダウンリンク制御チャネル（ＰＤＣＣＨ）であり、
前記ＰＤＣＣＨでの、ＭＣＣＨ修正指示の配列順序は、すべてのＭＣＣＨに対応するＭＣＣＨ識別子の値又はすべてのＭＣＣＨに対応するＭＢＭＳ単一周波数ネットワークエリア識別子の値により確定されたビット位置であり、又は
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨのＭＢＭＳ識別子又は単一周波数ネットワークエリア識別子を含むシステム情報を送信する
マルチメディアブロードキャスト及びマルチキャストサービス（ＭＢＭＳ）ページング指示シグナル送信システム。
【発明の詳細な説明】
【技術分野】
【０００１】
本発明はロング・ターム・エボリューション（Ｌｏｎｇ  Ｔｅｒｍ  Ｅｖｏｌｕｔｉｏｎ：ＬＴＥ）システムに関し、特に、マルチメディアブロードキャスト及びマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：ＭＢＭＳ）ページング指示シグナル送信方法及びシステムに関する。
【背景技術】
【０００２】
インターネットが急速に発展し、また、大画面の多機能携帯電話が人気を博している。これに伴い、多数のモバイルデータマルチメディアサービス及び様々な高帯域幅のマルチメディアサービスが提供されている。このようなサービスとして、例えば、ビデオ会議、テレビ放送、ビデオオンデマンド、広告、オンライン教育、インタラクティブゲーム等がある。これらのサービスは、モバイルユーザの高いサービスニーズに応えるとともに、モバイルオペレータのビジネス上の新たな成長点となる。モバイルデータマルチメディアサービスでは、複数のユーザが同時に同一データを受信可能であることが要求される。モバイルデータマルチメディアサービスは、一般的なデータサービスに比べて、データ量が大きく、継続時間が長く、時間遅延の影響を受けやすい等の特徴を有する。
【０００３】
モバイルネットワークリソースを有効活用するために、第３世代パートナーシッププロジェクト（３ＧＰＰ：３rd Generation Partnership Project）によってＭＢＭＳが提案されている。ＭＢＭＳは、１つのデータソースから複数のターゲットにデータを転送する技術である。ＭＢＭＳは、これによって、ネットワーク（コアネットワーク及びアクセスネットワークを含む）リソースの共有を実現する。ＭＢＭＳにより、ネットワークリソース（特に無線インターフェースリソース）の利用率が向上する。３ＧＰＰにより規定されるＭＢＭＳは、低速のプレーンテキストメッセージ形式のブロードキャスト及びマルチキャストを実現可能とする。これだけなく、ＭＢＭＳは、高速のマルチメディアサービスのブロードキャスト及びマルチキャストも実現可能とし、多種のビデオ、オーディオ及びマルチメディアサービスを提供可能とする。疑う余地なく、ＭＢＭＳは、モバイルデータ発展の将来的なトレンドとなる。また、ＭＢＭＳにより、第三世代移動通信技術（３Ｇ：３rd Generation）のサービス発展のビジョンがより明るいものとなる。
【０００４】
ＭＢＭＳサービスの特徴は、データ量が大きく、端末（ＵＥ、Ｕｓｅｒ  Ｅｑｕｉｐｍｅｎｔ）受信時の継続時間が長く、平均データ伝送速度が不変である点にある。上記特徴のため、ＭＢＭＳサービスのスケジューリング及び制御シグナル構成は、準静的となる。言い換えれば、ＭＢＭＳサービスのスケジューリング情報及び制御シグナル情報は、長期間に亘って不変である。このため、システム側は、ＭＣＣＨ（最大マルチポイント制御チャネル、Ｍａｘｉｍｕｍ  Ｍｕｌｔｉｐｏｉｎｔ  Ｃｏｎｔｒｏｌ  Ｃｈａｎｎｅｌ）情報の周期ごとに、不変の情報を送信する。ここで、継続的に送信する理由は、新たなユーザがアクセスする可能性が、常に存在するためである。このため、ＭＣＣＨ情報を既に受信した端末にとっては、不変のＭＣＣＨ情報を毎回受信する必要はない。結果的に、端末の電力が無駄に消耗されてしまう。なぜなら、ＭＣＣＨ情報量が大きいため、受信及び解析プロセスにて大量の電力が消費されるからである。上記事情に鑑み、ＭＣＣＨ情報更新指示情報を追加することが提案される。ここで、ＭＣＣＨ情報更新指示情報は、ＭＣＣＨ情報が変化したかどうかを、少ない量の物理層情報を用いて記述した情報である。これにより、既にアクセスしている端末は、少ない量の情報だけを監視すればよい。（なお、上記ＭＣＣＨ情報更新指示情報は、英語では、ＭＣＣＨ  ｃｈａｎｇｅ  ｎｏｔｉｆｉｃａｔｉｏｎ又はＭＢＭＳ  ｎｏｔｉｆｉｃａｔｉｏｎ  Ｉｎｄｉｃａｔｏｒと称される。中国語では、ＭＢＭＳ通知メッセージ、ＭＢＭＳ通知情報、ＭＢＭＳ通知指示又はＭＢＭＳ通知指示情報等と称される。以下、例として、ＭＢＭＳ通知指示情報として説明する。）そして、既にアクセスしている端末は、ＭＢＭＳ通知指示情報に応じて、ＭＣＣＨ情報を受信するかどうかを判断する。これにより、消費電力が削減するという効果が得られる。
【０００５】
また、１つのセルで伝送されるＭＢＭＳサービスは、異なるＭＢＭＳサービス送信エリアに属してよい。即ち、複数のＭＢＭＳサービス送信エリアは、オーバーラップする場合がある。このため、ｅＭＢＭＳ（ｅｖｏｌｖｅｄ  ＭＢＭＳ）システムでは、１つのセルに複数のＭＣＣＨが存在する可能性がある。各ＭＣＣＨは、異なるＭＢＭＳサービス送信エリアに対応する。ここで、ＭＢＭＳサービス送信エリアに対応して送信されるＭＢＭＳサービスの制御情報のみが、搬送される。ＭＣＣＨの数は、セルに割り当てられたサービスが属するＭＢＭＳサービス送信エリアに応じて決まる。このため、ＭＣＣＨの数は可変である。１つのセルによりサポートされるＭＢＭＳサービス送信エリアは最大８個であると、現在規定されている。即ち、１つのセルにより、最大８つのＭＣＣＨチャネルがサポートされる。
【０００６】
ＬＴＥにＭＢＭＳ通知指示情報を導入することが、現在既に確定している。しかしながら、ＭＢＭＳ通知指示情報をどの物理制御チャネルにて搬送するか、複数のＭＣＣＨの通知をどのようにサポートするかなどの課題については、未だ解決されていない。
【発明の概要】
【発明が解決しようとする課題】
【０００７】
本発明が解决しようとする技術的課題は、ＭＢＭＳページング指示シグナル送信方法及びシステムを提供することにある。本発明によれば、ＭＢＭＳ通知指示情報を搬送するマッピング方法が提供される。当該方法により、システム情報（即ち、ＭＢＭＳ通知指示情報）において、ＭＣＣＨの内容が変化したかどうかの指示を、簡便に実現可能とする。
【課題を解決するための手段】
【０００８】
上記技術的問題を解决するために、本発明は、
ネットワーク側が、ページング指示シグナルの利用可能なリソースと、セルによってサポートされるマルチポイント制御チャネル（Ｍａｘｉｍｕｍ  Ｍｕｌｔｉｐｏｉｎｔ  Ｃｏｎｔｒｏｌ  Ｃｈａｎｎｅｌ：ＭＣＣＨ）の最大数とに応じて、ＭＣＣＨ修正指示を搬送するビットリソースを各ＭＣＣＨに割り当て、
前記ネットワーク側が、ページング指示シグナルでの、各ＭＣＣＨ修正指示のマッピング情報を構成し、
前記ネットワーク側が、構成されたＭＣＣＨに対応するＭＣＣＨ修正指示を含む前記ページング指示シグナルを送信する
マルチメディアブロードキャスト及びマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：ＭＢＭＳ）ページング指示シグナル送信方法を提供する。
【０００９】
前記ページング指示シグナルの利用可能なリソースは、前記ページング指示シグナルを搬送する物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）である。
【００１０】
ネットワーク側がページング指示シグナルを送信するステップにおいて、前記ネットワーク側は、構成されたＭＣＣＨに対応するＭＣＣＨ修正指示を、前記ＰＤＣＣＨに連続的に又は非連続的に追加し、
前記ページング指示シグナルでの、各ＭＣＣＨ修正指示のマッピング情報は、ＰＤＣＣＨでの、構成されたＭＣＣＨに対応する各ＭＣＣＨ修正指示の配列順序及び開始位置である。
【００１１】
前記ＰＤＣＣＨでの、ＭＣＣＨ修正指示の配列順序は、システムメッセージにおいて複数のＭＣＣＨを構成する場合、各ＭＣＣＨが現れる順序であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加する。
【００１２】
前記ＰＤＣＣＨでの、ＭＣＣＨ修正指示の配列順序は、すべてのＭＣＣＨに対応するＭＣＣＨ識別子の値又はすべてのＭＣＣＨに対応するＭＢＭＳ単一周波数ネットワークエリア識別子の値により確定されたビット位置であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨのＭＢＭＳ識別子又は単一周波数ネットワークエリア識別子を含むシステム情報を送信する。
【００１３】
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨの識別子又はＭＢＭＳ単一周波数ネットワークエリア識別子を含むシステム情報を送信する。
【００１４】
さらに、前記ネットワーク側により各ＭＣＣＨ修正指示に割り当てられたビットリソースと、ページング指示シグナルでの、各ＭＣＣＨ修正指示のマッピング情報とを、セルの各端末に予め設定し、又は
前記ビットリソース及び前記マッピング情報を、システム情報を介して各端末へ送信する。
【００１５】
上記技術的課題を解决するために、本発明は、
ネットワーク側が、ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、
前記ネットワーク側が、ページング指示シグナルでの、各ＭＣＣＨ修正指示のマッピング情報を構成し、
前記ネットワーク側が、構成されたＭＣＣＨに対応するＭＣＣＨ修正指示を含む前記ページング指示シグナルを送信し、
端末が、受信した各ＭＣＣＨに対応するＭＣＣＨ修正指示に応じて、構成された各ＭＣＣＨの内容が変化したかどうか判断する
マルチメディアブロードキャスト及びマルチキャストサービス（ＭＢＭＳ）ページング指示シグナル送信方法を提供する。
【００１６】
前記ページング指示シグナルの利用可能なリソースは、前記ページング指示シグナルを搬送する物理ダウンリンク制御チャネル（ＰＤＣＣＨ）である。
【００１７】
ネットワーク側がページング指示シグナルを送信するステップにおいて、前記ネットワーク側は、構成されたＭＣＣＨに対応するＭＣＣＨ修正指示を、前記ＰＤＣＣＨに連続的に又は非連続的に追加し、
前記ページング指示シグナルでの、各ＭＣＣＨ修正指示のマッピング情報は、ＰＤＣＣＨでの、構成されたＭＣＣＨに対応する各ＭＣＣＨ修正指示の配列順序及び開始位置である。
【００１８】
前記ＰＤＣＣＨでの、ＭＣＣＨ修正指示の配列順序は、システムメッセージにおいて複数のＭＣＣＨを構成する場合、各ＭＣＣＨが現れる順序であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加する。
【００１９】
前記ＰＤＣＣＨでの、ＭＣＣＨ修正指示の配列順序は、すべてのＭＣＣＨに対応するＭＣＣＨ識別子の値又はすべてのＭＣＣＨに対応するＭＢＭＳ単一周波数ネットワークエリア識別子の値により確定されたビット位置であり、又は
前記ＰＤＣＣＨでの、ＭＣＣＨ修正指示の配列順序は、構成されたＭＣＣＨに対応するＭＣＣＨ識別子又はＭＢＭＳ単一周波数ネットワークエリア識別子の昇順又は降順であり、
ネットワーク側がページング指示シグナルを送信するステップにおいて、前記ネットワーク側は、構成されたＭＣＣＨに対応するＭＣＣＨ修正指示をＰＤＣＣＨの対応する位置に追加し、未構成のＭＣＣＨに対応するＭＣＣＨ修正指示の位置に無効値を追加し、
さらに、前記ネットワーク側が、構成された各ＭＣＣＨのＭＢＭＳ識別子又は単一周波数ネットワークエリア識別子を含むシステム情報を送信する。
【００２０】
さらに、前記ネットワーク側により各ＭＣＣＨ修正指示に割り当てられたビットリソースと、ページング指示シグナルでの、各ＭＣＣＨ修正指示のマッピング情報とを、セルの各端末に予め設定し、又は
前記ビットリソース及び前記マッピング情報を、システム情報を介して各端末へ送信する。
【００２１】
上記技術的課題を解决するために、本発明は、
ネットワーク側として利用される、マルチメディアブロードキャスト及びマルチキャストサービス（ＭＢＭＳ）ページング指示シグナル送信装置であって、
ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、ページング指示シグナルでの、各ＭＣＣＨ修正指示のマッピング情報を構成する構成モジュールと、
前記構成モジュールと接続され、構成されたＭＣＣＨに対応するＭＣＣＨ修正指示を含む前記ページング指示シグナルを送信する送信モジュールと
を具備するマルチメディアブロードキャスト及びマルチキャストサービス（ＭＢＭＳ）ページング指示シグナル送信装置を提供する。
【００２２】
上記技術的課題を解决するために、本発明は、
ネットワーク側と、端末とを具備する、マルチメディアブロードキャスト及びマルチキャストサービス（ＭＢＭＳ）ページング指示シグナル送信システムであって、
前記ネットワーク側は、
ページング指示シグナルの利用可能なリソースと、セルによってサポートされるマルチポイント制御チャネル（ＭＣＣＨ）の最大数とに応じて、ＭＣＣＨ修正指示を搬送するビットリソースを各ＭＣＣＨに割り当て、
ページング指示シグナルでの、各ＭＣＣＨ修正指示のマッピング情報を構成し、
構成されたＭＣＣＨに対応するＭＣＣＨ修正指示を含む前記ページング指示シグナルを送信し、
前記端末は、
受信した各ＭＣＣＨに対応するＭＣＣＨ修正指示に応じて、構成された各ＭＣＣＨの内容が変化したかどうか判断する
マルチメディアブロードキャスト及びマルチキャストサービス（ＭＢＭＳ）ページング指示シグナル送信システムを提供する。
【００２３】
以上のように、本発明に係るＭＢＭＳページング指示シグナル送信方法及びシステムは、１つのセルに複数のＭＣＣＨが存在する場合に利用することができる。また、当該方法及びシステムは、ＭＣＣＨの数の変化による影響を受けない。本発明は、容易に実現することができる。端末は、当該端末に関するＭＣＣＨに対応するＭＣＣＨ修正指示のみに応じて、当該ＭＣＣＨの内容が変化したかどうか判断する。
【図面の簡単な説明】
【００２４】
【図１】本発明の応用例１に係る、構成されたＭＣＣＨに対応するＭＣＣＨ修正指示をＰＤＣＣＨにマッピングする模式図である。
【図２】本発明の応用例２に係る、構成されたＭＣＣＨに対応するＭＣＣＨ修正指示をＰＤＣＣＨにマッピングする模式図である。
【図３】本発明の応用例３に係る、構成されたＭＣＣＨに対応するＭＣＣＨ修正指示をＰＤＣＣＨにマッピングする模式図である。
【発明を実施するための形態】
【００２５】
ＭＢＭＳ通知指示情報を搬送可能な物理チャネルとしては、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）がある。ＬＴＥシステムにおいて、ＰＤＣＣＨダウンリンク制御情報（Ｄｏｗｎｌｉｎｋ  Ｃｏｎｔｒｏｌ  Ｉｎｆｏｒｍａｔｉｏｎ：ＤＣＩ）フォーマット１Ａ又は１Ｃは、一般サービスのページングメッセージを搬送するのに用いることができる。ここで、フォーマット１Ａが搬送可能な情報サイズは、２５ビット（システム帯域幅５Ｍ）、２７ビット（システム帯域幅１０Ｍ）、２８ビット（システム帯域幅２０Ｍ）である。フォーマット１Ｃが搬送可能な情報サイズは、１２ビット（システム帯域幅５Ｍ）、１３ビット（システム帯域幅１０Ｍ）、１５ビット（システム帯域幅２０Ｍ）である。リソースを節約するには、ＰＤＣＣＨ  ＤＣＩフォーマット１Ｃを利用して、ＭＢＭＳ通知指示情報を搬送すればよい。情報送信の正確性を更に向上するには、ＰＤＣＣＨ  ＤＣＩフォーマット１Ａを利用すればよい。
【００２６】
本発明によれば、ＭＢＭＳページング指示シグナル送信方法及びシステムが提供される。ネットワーク側は、ページング指示シグナルの利用可能なリソースと、セルによってサポートされるＭＣＣＨの最大数とに応じて、ＭＣＣＨ修正指示を搬送するビットリソースを各ＭＣＣＨに割り当てる。ネットワーク側は、ページング指示シグナルでの、各ＭＣＣＨ修正指示のマッピング情報を構成する。ネットワーク側は、構成されたＭＣＣＨに対応するＭＣＣＨ修正指示を含むページング指示シグナルを送信する。前記ページング指示シグナルの利用可能なリソースは、ＭＢＭＳページング指示シグナルを搬送する物理ダウンリンク制御チャネル（ＰＤＣＣＨ）である。ＭＢＭＳ通知指示情報は、ページング指示シグナルにおける、１つ又は複数のＭＣＣＨ修正指示から構成される。ページング指示シグナルは、ＭＢＭＳページング情報又はＭＢＭＳページングシグナルとも称される。
【００２７】
＜システム実施形態＞
［実施形態１］
本実施形態によれば、ＭＢＭＳページング指示シグナル送信システムが提供される。ＭＢＭＳページング指示シグナル送信システムは、ネットワーク側を含む。
【００２８】
ネットワーク側は、ページング指示シグナルの利用可能なリソースと、セルによってサポートされるＭＣＣＨの数とに応じて、ＭＣＣＨ修正指示を搬送するビットリソースを各ＭＣＣＨに割り当てる。そして、ネットワーク側は、ページング指示シグナルでの、各ＭＣＣＨ修正指示のマッピング情報を構成する。１つのＭＣＣＨは、１ビット（又は複数ビット）を占有する。全てのビットは、順番に配列される。ネットワーク側は、構成されたＭＣＣＨに対応するＭＣＣＨ修正指示を生成する。このＭＣＣＨ修正指示は、ページング指示シグナルに含まれる。ネットワーク側は、ページング指示シグナルを送信する。
【００２９】
ネットワーク側は、更に、各ＭＣＣＨ修正指示により占有されるビットリソースと、ページング指示シグナルでの、各ＭＣＣＨ修正指示のマッピング情報とを、セルの各端末に予め設定する。あるいは、ネットワーク側は、上記ビットリソース及びマッピング情報を、システム情報を介して各端末へ送信する。
【００３０】
本実施形態によれば、マルチメディアブロードキャスト及びマルチキャストサービス（ＭＢＭＳ）ページング指示シグナル送信装置が提供される。この送信装置は、ネットワーク側として利用される。送信装置は、互いに接続された構成モジュール及び送信モジュールを含む。
【００３１】
構成モジュールは、ページング指示シグナルの利用可能なリソースと、セルによってサポートされるＭＣＣＨの最大数とに応じて、ＭＣＣＨ修正指示を搬送するビットリソースを各ＭＣＣＨに割り当てる。そして、構成モジュールは、ページング指示シグナルでの、各ＭＣＣＨ修正指示のマッピング情報を構成する。
【００３２】
送信モジュールは、構成されたＭＣＣＨに対応するＭＣＣＨ修正指示を生成する。このＭＣＣＨ修正指示は、ページング指示シグナルに含まれる。送信モジュールは、ページング指示シグナルを送信する。
【００３３】
前記送信モジュールは、更に、各ＭＣＣＨ修正指示により占有されるビットリソースと、ページング指示シグナルでの、各ＭＣＣＨ修正指示のマッピング情報とを、セルの各端末に予め設定する。あるいは、送信モジュールは、上記ビットリソース及びマッピング情報を、システム情報を介して各端末へ送信する。
【００３４】
ネットワーク側は、以下の方式のいずれか１つを利用して、ページング指示シグナルに含まれる各ＭＣＣＨ修正指示のマッピング情報を構成する。
【００３５】
（ａ）ネットワーク側は、構成されたＭＣＣＨに対応するＭＣＣＨ修正指示を、ページング指示シグナルに、連続的に追加する。
【００３６】
この時、ページング指示シグナルに含まれる各ＭＣＣＨ修正指示のマッピング情報は、ＰＤＣＣＨでの、構成されたＭＣＣＨに対応する各ＭＣＣＨ修正指示の配列順序及び開始位置である。配列順序は、システムメッセージ中に複数のＭＣＣＨが構成され、順番に現れる場合には、各ＭＣＣＨが現れる順序とすればよい。開始位置は、ページング指示シグナルの開始ビットを示す。このページング指示シグナルは、１番目のＭＣＣＨ修正指示に追加されたものである。典型的には、開始位置は、１番目のビットである。
【００３７】
ネットワーク側は、構成されたＭＣＣＨに対応するＭＣＣＨ修正指示を、ＰＤＣＣＨの対応する位置に追加する。ネットワーク側は、未構成のＭＣＣＨに対応するＭＣＣＨ修正指示の位置に、０又は他の無効値を追加する。
【００３８】
（ｂ）ネットワーク側によって構成されたマッピング情報は、ＰＤＣＣＨでの、すべてのＭＣＣＨ修正指示の配列順序である。当該配列順序は、ＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）Ａｒｅａ  ＩＤ（又はＭＣＣＨ  ＩＤ）の値に従って、何番目のビットであるか確定する。
【００３９】
各修正指示が１ビットを占有し、開始位置がＰＤＣＣＨの１番目のビットであるものとする。この場合、ＭＢＳＦＮ  Ａｒｅａ  ＩＤ＝６のＭＣＣＨ修正指示は、ＰＤＣＣＨの６番目のビットにマッピングされる。ここで、構成された複数のＭＣＣＨに対応する複数のＭＢＳＦＮ  Ａｒｅａ  ＩＤが非連続的である場合、ＰＤＣＣＨでの複数のＭＣＣＨ修正指示も非連続的となる。
【００４０】
ネットワーク側は、構成されたＭＣＣＨに対応するＭＣＣＨ修正指示を、ＰＤＣＣＨの対応する位置に追加する。ネットワーク側は、未構成のＭＣＣＨに対応するＭＣＣＨ修正指示の位置に、０又は他の無効値を追加する。
【００４１】
ネットワーク側は、構成された各ＭＣＣＨに対応するＭＢＳＦＮ  Ａｒｅａ  ＩＤ（又はＭＣＣＨ  ＩＤ）を生成する。このＭＢＳＦＮ  Ａｒｅａ  ＩＤ（又はＭＣＣＨ  ＩＤ）は、システム情報に含まれる。ネットワーク側は、システム情報を送信する。
【００４２】
（ｃ）ネットワーク側によって構成されるマッピング情報は、ＰＤＣＣＨでの、すべてのＭＣＣＨ修正指示の配列順序である。複数のＭＢＭＳ単一周波数ネットワークエリア識別子は、構成された複数のＭＣＣＨに対応する。複数のＭＢＭＳ単一周波数ネットワークエリア識別子は、昇順又は降順で順番に配列される。
【００４３】
ネットワーク側は、構成されたＭＣＣＨに対応するＭＣＣＨ修正指示を、ＰＤＣＣＨの対応する位置に追加する。ネットワーク側は、未構成のＭＣＣＨに対応するＭＣＣＨ修正指示の位置に、０又は他の無効値を追加する。
【００４４】
ネットワーク側は、構成された各ＭＣＣＨに対応するＭＢＭＳ単一周波数ネットワークエリア識別子を生成する。このＭＢＭＳ単一周波数ネットワークエリア識別子は、システム情報に含まれる。ネットワーク側は、システム情報を送信する。
【００４５】
上記ネットワーク側は、基地局又はＭＣＥ（ＭＢＭＳコーディネーションエンティティ、ＭＢＭＳ  Ｃｏｏｒｄｉｎａｔｉｏｎ  Ｅｎｔｉｔｙ）とすることができる。
【００４６】
［実施形態２］
本実施形態によれば、ＭＢＭＳページング指示シグナル送信システムが提供される。ＭＢＭＳページング指示シグナル送信システムは、ネットワーク側と、端末とを含む。
【００４７】
ネットワーク側は、ページング指示シグナルの利用可能なリソースと、セルによってサポートされるＭＣＣＨの数とに応じて、ＭＣＣＨ修正指示を搬送するビットリソースを各ＭＣＣＨに割り当てる。そして、ネットワーク側は、ページング指示シグナルでの、各ＭＣＣＨ修正指示のマッピング情報を構成する。１つのＭＣＣＨは、１ビット（又は複数ビット）を占有する。全てのビットは、順番に配列される。
【００４８】
ネットワーク側は、構成されたＭＣＣＨに対応するＭＣＣＨ修正指示を生成する。ＭＣＣＨ修正指示は、ページング指示シグナルに含まれる。ネットワーク側は、ページング指示シグナルを送信する。ネットワーク側は、各ＭＣＣＨ修正指示により占有されるビットリソースと、ページング指示シグナルでの、各ＭＣＣＨ修正指示のマッピング情報とを、セルの各端末に予め設定する。あるいは、ネットワーク側は、上記ビットリソース及びマッピング情報を、システム情報を介して各端末へ送信する。
【００４９】
端末は、各ＭＣＣＨに対応するＭＣＣＨ修正指示を受信する。端末は、受信したＭＣＣＨ修正指示に応じて、構成された各ＭＣＣＨの内容が変化したかどうか判断する。
【００５０】
上記ネットワーク側は、基地局又はＭＣＥとすることができる。
【００５１】
＜方法実施形態＞
［実施形態１］
本実施形態によれば、ＭＢＭＳページング指示シグナル送信方法が提供される。ネットワーク側は、ページング指示シグナルの利用可能なリソースと、セルによってサポートされるＭＣＣＨの数とに応じて、ＭＣＣＨ修正指示を搬送するビットリソースを、各ＭＣＣＨに割り当てる。そして、ネットワーク側は、ページング指示シグナルでの、各ＭＣＣＨ修正指示のマッピング情報を構成する。１つのＭＣＣＨは、１ビット（又は複数ビット）を占有する。全てのビットは、順番に配列される。ネットワーク側は、構成されたＭＣＣＨに対応するＭＣＣＨ修正指示を生成する。このＭＣＣＨ修正指示は、ページング指示シグナルに含まれる。ネットワーク側は、ページング指示シグナルを送信する。
【００５２】
［実施形態２］
本実施形態によれば、ＭＢＭＳページング指示シグナル送信方法が提供される。ネットワーク側は、ページング指示シグナルの利用可能なリソースと、セルによってサポートされるＭＣＣＨの数とに応じて、ＭＣＣＨ修正指示を搬送するビットリソースを、各ＭＣＣＨに割り当てる。そして、ネットワーク側は、ページング指示シグナルでの、各ＭＣＣＨ修正指示のマッピング情報を構成する。１つのＭＣＣＨは、１ビット（又は複数ビット）を占有する。ネットワーク側は、構成されたＭＣＣＨに対応するＭＣＣＨ修正指示を生成する。ＭＣＣＨ修正指示は、ページング指示シグナルに含まれる。ネットワーク側は、ページング指示シグナルを送信する。
【００５３】
端末は、各ＭＣＣＨに対応するＭＣＣＨ修正指示を受信する。端末は、受信したＭＣＣＨ修正指示に応じて、構成された各ＭＣＣＨの内容が変化したかどうか判断する。
【００５４】
各ＭＣＣＨ修正指示により占有されるビット数（１ビット又はｎビット）は、標準で予め設定されてよい。各ＭＣＣＨ修正指示により占有されるビット数は、送信されたシステムメッセージで構成され、ＵＥへ送信されてもよい。本発明では、これらについて限定しない。
【００５５】
ページング指示シグナルの利用可能なリソースが変化した場合、あるいは、セルによってサポートされるＭＣＣＨの最大数が変化した場合、ネットワーク側は、各ＭＣＣＨ修正指示にビット数を再び割り当てる。
【００５６】
以下、応用例を用いて、本発明に係る方法を詳しく説明する。
【００５７】
［応用例１］
ネットワーク側は、構成されたＭＣＣＨに対応するＭＣＣＨ修正指示を、ＰＤＣＣＨに連続的に追加する。この時、ＰＤＣＣＨでの、各ＭＣＣＨ修正指示のマッピング情報は、ＰＤＣＣＨでの、構成されたＭＣＣＨに対応する各ＭＣＣＨ修正指示の配列順序及び開始位置である。上記配列順序は、システムメッセージ中に複数のＭＣＣＨが構成される場合には、各ＭＣＣＨが現れる順序とすればよい。開始位置は、ＰＤＣＣＨの開始ビットを示す。ＰＤＣＣＨは、１番目のＭＣＣＨ修正指示に追加されたものである。
【００５８】
構成された各ＭＣＣＨに対応するＭＣＣＨ修正指示により占有されるビット数の合計をｎとする。また、構成されたＭＣＣＨ修正指示を、ＰＤＣＣＨのｍ番目のビットから開始するように追加する。この場合、ＰＤＣＣＨのｍ番目〜（ｍ＋ｎ−１）番目のビットは、ＭＣＣＨ修正指示の搬送に用いられる。実際に構成されるＭＣＣＨの数が、セルによってサポートされるＭＣＣＨの最大数より小さい場合は、ＰＤＣＣＨにおいてＭＣＣＨ修正指示を追加していなビットに、０又は他の無効値を追加する。
【００５９】
ネットワーク側は、ＰＤＣＣＨでの各ＭＣＣＨ修正指示のマッピング情報を、セルの各端末に予め設定してよい。ネットワーク側は、ＰＤＣＣＨでの各ＭＣＣＨ修正指示のマッピング情報を生成してもよい。このマッピング情報は、システム情報に含まれる。ネットワーク側は、システム情報を送信する。
【００６０】
端末は、ＰＤＣＣＨでの、各ＭＣＣＨ修正指示のマッピング情報に応じて、ＭＣＣＨ修正指示の追加を、ＰＤＣＣＨの何番目のビットから開始するか判断する。また、端末は、構成された各ＭＣＣＨ修正指示の配列順序を取得する。端末は、ＭＣＣＨ修正指示を監視することで、対応するＭＣＣＨの内容が変化するかどうか判断する。
【００６１】
例えば、セルによってサポートされるＭＣＣＨの最大数が８である場合、ＭＢＭＳ通知指示情報を搬送するＰＤＣＣＨ  ＤＣＩフォーマット１Ａが搬送可能なビット数は、２５ビットである。各ＭＣＣＨに割り当てるページング指示ビットは、３ビットである。
【００６２】
システムが実際に５つのＭＣＣＨを構成する場合、対応するＭＣＣＨ  ＩＤ（ＭＢＳＦＮ  Ａｒｅａ  ＩＤに、一対一で対応する）は、それぞれ１、３、５、７、８である。システムメッセージにおける構成リストに現れる順序は、１、３、５、７、８である。ＰＤＣＣＨの１番目のビットから始まる５つのＭＣＣＨに対応するＭＣＣＨ修正指示を、ＰＤＣＣＨに連続的に追加する。この場合の、追加後の効果を図１に示す。即ち、ページング指示シグナルの１番目〜１５番目のビットに、ＭＣＣＨ修正指示が追加される。その後に続く空白部分には、ＭＣＣＨ修正指示は追加されない。追加後の効果を図１に示す。
【００６３】
好ましくは、ネットワーク側は、システムメッセージ中に構成されたＭＣＣＨの順序に応じて、ＭＣＣＨ修正指示をＰＤＣＣＨに順次追加する。即ち、先に構成されたＭＣＣＨに対応するＭＣＣＨ修正指示は、後に構成されたＭＣＣＨに対応するＭＣＣＨ修正指示の前に配列される。
【００６４】
［応用例２］
ネットワーク側によって構成されたマッピング情報は、ＰＤＣＣＨでの、すべてのＭＣＣＨ修正指示の配列順序である。当該配列順序は、すべてのＭＣＣＨに対応するＭＣＣＨ識別子（ＭＢＳＦＮ  Ａｒｅａ  ＩＤに一対一で対応する）の昇順（又は降順）である。ＭＣＣＨ  ＩＤの値に応じて、何番目のビットに対応するかが確定される。また、ＰＤＣＣＨでの各ＭＣＣＨ修正指示の位置は、不変である。
【００６５】
ネットワーク側は、構成されたＭＣＣＨに対応するＭＣＣＨ修正指示を、ＰＤＣＣＨの対応する位置に追加する。ネットワーク側は、また、未構成のＭＣＣＨに対応するＭＣＣＨ修正指示の位置に、０又は他の無効値を追加する。これによって、構成されたＭＣＣＨの数がセルによってサポートされる最大数に達するかに関わらず、ＰＤＣＣＨでの、構成された各ＭＣＣＨに対応するＭＣＣＨ修正指示の位置が、いずれも不変に維持される。
【００６６】
この時、ネットワーク側は、構成された各ＭＣＣＨのＩＤ（ＭＣＣＨ  ＩＤ）又は一対一で対応するＭＢＳＦＮ  Ａｒｅａ  ＩＤを生成する。このＭＣＣＨ  ＩＤ又はＭＢＳＦＮ  Ａｒｅａ  ＩＤは、システム情報に含まれる。ネットワーク側は、システム情報を送信する。
【００６７】
ネットワーク側は、構成されたマッピング情報を、セルの各端末に予め設定してよい。ネットワーク側は、ＰＤＣＣＨでの各ＭＣＣＨ修正指示のマッピング情報を生成してもよい。このマッピング情報は、システム情報に含まれる。ネットワーク側は、システム情報を送信する。
【００６８】
端末は、システム情報に応じて、構成された各ＭＣＣＨに対応する識別子又は一対一で対応するＭＢＳＦＮ  Ａｒｅａ  ＩＤを取得する。そして、端末は、ＰＤＣＣＨでの、ＭＣＣＨに対応するＭＣＣＨ修正指示のビット位置を取得する。端末は、これらの位置におけるＭＣＣＨ修正指示を監視することで、当該対応するＭＣＣＨの内容が変化するかどうか判断する。
【００６９】
例えば、セルによってサポートされるＭＣＣＨの最大数は、８である。ＭＢＭＳ通知指示情報を搬送するＰＤＣＣＨのＤＣＩフォーマット１Ａのサイズは、２５ビットである。各ＭＣＣＨにより占有されるビット数は、いずれも３である。ＭＣＣＨ  ＩＤ（又は一対一で対応するＭＢＳＦＮ  Ａｒｅａ  ＩＤ）の値に応じて、ＰＤＣＣＨ中での、ＭＣＣＨ修正指示の位置を設定する。構成されたＭＣＣＨの数が５であり、対応するＭＣＣＨ  ＩＤがそれぞれ１、３、５、７、８である場合の、構成後の効果を図２に示す。ハッチング部分は、ＰＤＣＣＨでの、構成されたＭＣＣＨに対応するＭＣＣＨ修正指示の位置を示す。空白部分は、ＰＤＣＣＨでの、未構成のＭＣＣＨに対応するＭＣＣＨ修正指示の位置を示す。
【００７０】
［応用例３］
ネットワーク側によって構成されたマッピング情報は、ＰＤＣＣＨでの、すべてのＭＣＣＨ修正指示の配列順序である。すべてのＭＣＣＨに対応するＭＣＣＨ  ＩＤ又はＭＢＭＳ単一周波数ネットワークエリア識別子は、昇順又は降順に配列される。
【００７１】
ネットワーク側は、構成されたＭＣＣＨに対応するＭＣＣＨ修正指示をＰＤＣＣＨの対応する位置に追加する。ネットワーク側は、未構成のＭＣＣＨに対応するＭＣＣＨ修正指示の位置に、０又は他の無効値を追加する。これによって、構成されたＭＣＣＨの数が変化する場合に、ＰＤＣＣＨでの各ＭＣＣＨ修正指示の位置は、新たな順序に応じて、変化する可能性がある。
【００７２】
例えば、セルによってサポートされるＭＣＣＨの最大数は、８である。ＭＢＭＳ通知指示情報を搬送するＰＤＣＣＨのＤＣＩフォーマット１Ａのサイズは、２５ビットである。各ＭＣＣＨにより占有されるビット数は、いずれも３である。そして、複数のＭＣＣＨに対応する複数のＭＢＳＦＮ  Ａｒｅａ  ＩＤの昇順に従って、ＰＤＣＣＨ中での、ＭＣＣＨ修正指示の位置を設定する。構成されたＭＣＣＨの数が５であり、対応するＭＣＣＨ  ＩＤ（ＭＢＳＦＮ  Ａｒｅａ  ＩＤの昇順に応じる）がそれぞれ１、３、５、７、８である場合の、構成後の効果を図３に示す。ハッチング部分は、ＰＤＣＣＨでの、構成されたＭＣＣＨの位置を示す。空白部分は、ＰＤＣＣＨでの、未構成のＭＣＣＨの位置を示す。
【００７３】
ネットワーク側は、ＰＤＣＣＨでの、各ＭＣＣＨ修正指示のマッピング情報を、セルの各端末に予め設定してよい。ネットワーク側は、ＰＤＣＣＨでの各ＭＣＣＨ修正指示のマッピング情報を生成してもよい。このマッピング情報は、システム情報に含まれる。ネットワーク側は、システム情報を送信する。当該マッピング情報は、構成された各ＭＣＣＨに対応するＭＢＳＦＮ  Ａｒｅａ  ＩＤを示す。
【００７４】
この時、ネットワーク側は、構成された各ＭＣＣＨのＭＢＭＳ単一周波数ネットワークエリア識別子を生成する。ＭＢＭＳ単一周波数ネットワークエリア識別子は、システム情報に含まれる。ネットワーク側は、システム情報を送信する。
【００７５】
端末は、システム情報に応じて、構成された各ＭＣＣＨに対応するＭＢＳＦＮ  Ａｒｅａ  ＩＤを取得する。そして、端末は、ＭＢＭＳ通知指示情報での、ＭＣＣＨ修正指示のビット位置を取得する。端末は、当該ビット位置におけるＭＣＣＨ修正指示を監視することで、当該ＭＣＣＨの内容が変化するかどうか判断する。
【００７６】
上記各実施形態に係るＭＢＳＦＮ  Ａｒｅａ  ＩＤ及びＭＣＣＨ  ＩＤは、他の形式の識別子でもよい。当該他の形式の識別子は、対応するＭＢＭＳサービスエリアを一意に識別でき、当該エリアが１つのＭＣＣＨに対応するものであればよい。
【００７７】
以上、本発明を特定の実施形態とともに説明した。本分野の当業者は、本発明の主旨精神及び原則の範囲内にて、本発明に対して各種変更及び修正を行うことができる。このような変更及び修正は、本発明の保護範囲内に含まれるべきである。
【００７８】
＜産業上利用可能性＞
本発明によれば、ＭＢＭＳページング指示シグナル送信方法及びシステムが提供される。当該方法及びシステムは、１つのセルに複数のＭＣＣＨが存在する場合に利用することができる。また、当該方法及びシステムは、ＭＣＣＨの数の変化による影響を受けない。本発明は、容易に実現することができる。端末は、当該端末に関するＭＣＣＨに対応するＭＣＣＨ修正指示のみに応じて、当該ＭＣＣＨの内容が変化したかどうか判断する。
【図１】
0005461700.tif 000002
【図２】
0005461700.tif 000003
【図３】
0005461700.tif 000004